(57)【要約】【課題】  商品収納袋の大きさの選択や計算後の商品を直接商品収納袋に投入する作業が簡単に能率よく行え、一人の会計オペレータだけで、商品の入った収納袋を購入者に手渡す収納方式を実現することができる商品収納袋の取り出し装置を提供する。【解決手段】  ベース台２２上に回転可能となるよう立設した支柱２３に複数の袋取り付け機構２４を装着し、この袋取り付け機構２４が、商品収納袋の上部を下面側から支持する受け板３２の上面に、商品収納袋の上部両側に設けた吊り下げ用の孔の掛け吊り軸３０、３０と、上部の中央に舌片に設けた吊り下げ用の孔の掛け吊り軸３１を有し、両側の掛け吊り軸３０、３０は配置間隔の調整が可能になっている。【選択図】  図１
2005280771.tif 000002
【特許請求の範囲】
【請求項１】
上部両側に提げ手と上部中央に舌片を有し、上部両側と舌片とに夫々吊り下げ用の孔を設けた商品収納袋を、前記各吊り下げ用の孔を利用して吊り下げ状に保持するための取り出し装置であり、前記商品収納袋の上部を支持する袋取り付け機構と、商品収納袋の底部を支持する底部支持部材とからなり、前記袋取り付け機構が、商品収納袋の上部下面側を支持するための受け板と、この受け板の上面で前縁寄りの両側に突設され、商品収納袋の上部両側に設けた吊り下げ用の孔を係止する一対の掛け吊り軸と、前記受け板の上面で後部側中央の位置に突設され、商品収納袋の舌片に設けた吊り下げ用の孔を係止する後部の掛け吊り軸とで形成され、前記一対の掛け吊り軸は間隔の調整が可能になっている商品収納袋の取り出し装置。
【請求項２】
上記袋取り付け機構が、金属線材を用いた一対の矩形状枠体を、支柱の半径方向に突出するよう間隔をおいて固定し、両矩形状枠体の外側縦桟の上端部に、上記掛け吊り軸を平面的に回転可能となるよう取付け、上記受け板を、掛け吊り軸及び後部掛け吊り軸に設けた支持部によって前方下がりの傾斜配置に支持して形成されている請求項１に記載の商品収納袋の取り出し装置。
【請求項３】
上記受け板の上部に、各掛け吊り軸に対応する嵌合孔が設けられた蓋板が配置され、前記受け板が各掛け吊り軸に対して上下動が可能となる配置となり、この受け板に弾性部材で上昇弾性を付勢した請求項１又は２に記載の商品収納袋の取り出し装置。
【請求項４】
上記袋取り付け機構が、両側の上記掛け吊り軸の外側位置に、商品収納袋の提げ手に設けた保持用孔を挿通することにより、提げ手を保持する着脱自在の弾性保持環を備えている請求項１乃至３の何れかに記載の商品収納袋の取り出し装置。
【請求項５】
上記袋取り付け機構とその下部に位置する底部支持部材を、ベース台上に立設した支柱の外周に複数組を取付け、前記支柱をベース台に対して回転可能とした請求項１乃至４の何れかに記載の商品収納袋の取り出し装置。
【発明の詳細な説明】
【技術分野】
【０００１】
この発明は、スーパマーケットやドラッグストアー等における小売店の会計カウンターの近くに設置し、会計のオペレータが計算後の商品を商品収納袋に直接投入して購入者に手渡すことができるようにした商品収納袋の取り出し装置に関する。
【背景技術】
【０００２】
従来、スーパマーケットやドラッグストアー等での、商品の購入後における商品収納袋への収納方式は、一般的に、購入者が商品を店内備付けの籠に入れて会計カウンターに持ち込み、会計のオペレータは計算後の商品を別の籠に入れていき、最終的にこの籠に、購入した商品の量に見合う大きさの商品収納袋を入れて購入者にわたし、購入者は別の位置にある包装用の台に籠を持って移動し、商品収納袋に購入した商品を自分で入れて持ち帰るようなシステムになっている。
【０００３】
ところで、近年、上記のような収納方式に代わり、会計のオペレータが計算後の商品を別の収納係の者に渡し、この収納係が商品を収納袋に直接収納する作業を行い、商品の入った収納袋を購入者に手渡す方式が顧客サービスとして行われている。
【０００４】
このような商品の入った収納袋を購入者に手渡す方式は、設備費の軽減と店内スペースの有効利用が図れると共に、収納袋に商品を入れた後、収納袋の上部開口を粘着テープで封をして渡すことができ、このように、上部開口を封止すると、購入者が会計での支払いを済ませたあと、再び売り場に戻って新たな商品を収納袋に投入し、その商品の料金を支払わずに持ちかえる万引きを防ぐ効果があり、従来から手をやいていた万引きの防止を露骨に示すことなく防止できるという効果があり、このような方式に対応することができる商品収納袋の取り出し装置は既に発明者によって提案されている。
【０００５】
上記の既に提案された商品収納袋の取り出し装置は、ベース上に回転可能となるよう立設した支柱と、上記支柱に装着した複数の袋取り付け機構との組み合わせからなり、この袋取り付け機構が、上部両側に提げ手と上部中央に舌片を有し、この舌片の下部に引き用つまみ片を設けた商品収納袋を保持できるよう、上部両側に上記提げ手に設けた孔の掛け吊り軸と、上部の中央に上記舌片に設けた孔の掛け吊り軸とをそれぞれ突設し、下部に商品収納袋の底部支持板を設けて形成されている。
【０００６】
この商品収納袋の取り出し装置は、スーパマーケットやドラッグストアー等での、商品の会計カウンター部分でオペレータの作業範囲の近傍に設置する。
【０００７】
取り出し装置は、ベース台上に起立する支柱の周囲に複数の袋取り付け機構を設け、各袋取り付け機構には、該当するサイズの商品収納袋を多数枚の重なり状態で吊り下げ状に取り付ける。
【０００８】
上記袋取り付け機構に対して商品収納袋は、上部両側の掛け吊り軸に提げ手の孔を嵌挿し、舌片に設けた孔を中央の掛け吊り軸に嵌挿することにより、吊り下げ状に取り付け、商品収納袋の下端は支持板により支持する。
【０００９】
このような状態で、購入したい商品を籠に入れて会計カウンターに持ち込むと、オペレータは袋取り付け機構の上部を手で押すことにより回転させ、商品の量に応じた大きさの商品収納袋を手前の位置に臨ませ、一番手前に位置するこの商品収納袋の外面に位置する一枚の引き用つまみ片を手前に引いて舌片を切れ目の部分から切断すると共に、この引き用つまみ片で商品収納袋の上端を手前に引くようにする。
【００１０】
これによって、商品収納袋の口部が開くことになり、会計のオペレータは籠から取り出した商品の値段を計算したのち、この商品を商品収納袋内に投入し、このようにして商品の値段を計算した商品を順次商品収納袋内に入れ、全商品の投入が終わって会計が済むと、オペレータは両側の提げ手を持って袋を持ち上げ、上部両側の掛け吊り軸から孔を抜き取り、この持ち上げで舌片に設けた孔も中央の掛け吊り軸から抜けるので、商品収納袋の口部を粘着テープで封止した状態で、商品の入った商品収納袋を購入者に手渡せばよい（例えば、特許文献１参照）。
【特許文献１】特開２００１−３１５７２６号公報
【発明の開示】
【発明が解決しようとする課題】
【００１１】
ところで、上記の商品収納袋の取り出し装置は、商品収納袋を単に三本の掛け吊り軸で支持する構造になっているので、掛け吊った商品収納袋の全体形状が三本の掛け吊り軸から直接垂れ下がり状となり、このため、引き用つまみ片は商品収納袋の外面に沿った状態になるので、吊り下げた商品収納袋のひき用つまみ片を指先で摘むのが困難になり、引き用つまみ片を引っ張ることにより、片手で商品収納袋の口部を開口させるという作業が行いにくいという点で改善の余地がみられた。
【００１２】
また、商品収納袋が大型の場合、商品収納袋の口部を開口させると、両側の提げ手が内側に落ち込み、口部を大きく開口させているのに、商品の投入作業が行いにくい事態が発生する。
【００１３】
そこで、この発明は、吊り下げた商品収納袋の引き用つまみ片を簡単確実に指先で摘むことができ、商品収納袋の口部の開放が片手で行え、しかも、商品収納袋が大型の場合、商品収納袋の口部を開口させた口部への両側の提げ手の落ち込みをなくして折角大きく開口している口を十分に活用させることができ、会計のオペレータだけで商品の入った収納袋を購入者に手渡す収納方式を実現することができる商品収納袋の取り出し装置を提供することにある。
【課題を解決するための手段】
【００１４】
上記のような課題を解決するため、請求項１の発明は、上部両側に提げ手と上部中央に舌片を有し、上部両側と舌片とに夫々吊り下げ用の孔を設けた商品収納袋を、前記各吊り下げ用の孔を利用して吊り下げ状に保持するための取り出し装置であり、前記商品収納袋の上部を支持する袋取り付け機構と、商品収納袋の底部を支持する底部支持部材とからなり、前記袋取り付け機構が、商品収納袋の上部下面側を支持するための受け板と、この受け板の上面で前縁寄りの両側に突設され、商品収納袋の上部両側に設けた吊り下げ用の孔を係止する一対の掛け吊り軸と、前記受け板の上面で後部側中央の位置に突設され、商品収納袋の舌片に設けた吊り下げ用の孔を係止する後部の掛け吊り軸とで形成され、前記一対の掛け吊り軸は間隔の調整が可能になっている構成を採用したものである。
【００１５】
請求項２の発明は、上記袋取り付け機構が、金属線材を用いた一対の矩形状枠体を、支柱の半径方向に突出するよう間隔をおいて固定し、両矩形状枠体の外側縦桟の上端部に、上記掛け吊り軸を平面的に回転可能となるよう取付け、上記受け板を、掛け吊り軸及び後部掛け吊り軸に設けた支持部によって前方下がりの傾斜配置に支持して形成されている構成を採用したものである。
【００１６】
請求項３の発明は、上記受け板の上部に、各掛け吊り軸に対応する嵌合孔が設けられた蓋板が配置され、前記受け板が各掛け吊り軸に対して上下動が可能となる配置となり、この受け板に弾性部材で上昇弾性を付勢した構成を採用したものである。
【００１７】
請求項４の発明は、上記袋取り付け機構が、両側の上記掛け吊り軸の外側位置に、商品収納袋の提げ手に設けた保持用孔を挿通することにより、提げ手を保持する着脱自在の弾性保持環を備えている構成を採用したものである。
【００１８】
請求項５の発明は、上記袋取り付け機構とその下部に位置する底部支持部材を、ベース台上に立設した支柱の外周に複数組を取付け、前記支柱をベース台に対して回転可能とした構成を採用したものである。
【００１９】
ここで、複数の袋取り付け機構は、商品収納袋のサイズに合わせて両側掛け吊り軸の配置間隔の異なるものを支柱に取付け、この支柱の周囲にサイズの異なる商品収納袋を配置することができるようにすると共に、回転可能となる支柱と共に袋取り付け機構を回動させることにより、使用せんとするサイズの商品収納袋を手前の位置に臨ませることができ、また、掛け吊った商品収納袋の外面に位置する引き用つまみ片の最上位の一枚を手前に引けば、商品収納袋は口部が開いた状態となり、商品収納袋への商品の投入作業が簡単に行える。
【発明の効果】
【００２０】
請求項１の発明によると、袋取り付け機構が、商品収納袋の上部下面側を支持するための受け板を有し、この受け板の上面で前縁寄りの両側に商品収納袋の上部両側に設けた吊り下げ用の孔を係止する一対の掛け吊り軸と、後部側中央の位置に商品収納袋の舌片に設けた吊り下げ用の孔を係止する後部掛け吊り軸を突設したので、各掛け吊り軸に掛け吊った商品収納袋は、上部下面側が受け板で支持され、商品収納袋の受け板から飛び出た部分は受け板の前縁から垂下し、商品収納袋の引き用つまみ片を受け板の前縁部分に位置するよう設けることにより、この引き用つまみ片を商品収納袋の前方に突出状とすることができ、商品収納袋の口部を開口させるとき、引き用つまみ片を簡単確実に指先で摘んで手前に引くことができるようになり、従って、商品収納袋の口部の開放が片手で行え、スーパマーケットやドラッグストアー等での、商品の購入後における商品収納袋への収納方式に、会計のオペレータだけで、計算後の商品を直接商品収納袋に投入し、商品の入った収納袋を購入者に手渡す方式の実現が可能になる。
【００２１】
請求項１と２の発明によると、袋取り付け機構における両側掛け吊り軸の間隔が調整できるので、単一の袋取り付け機構でサイズの異なる商品収納袋の吊り下げが可能になり、袋取り付け機構の種類数を削減できる。
【００２２】
請求項２の発明によると、受け板を、掛け吊り軸及び後部の掛け吊り軸に設けた支持部によって前方下がりの傾斜配置に支持したので、各掛け吊り軸に掛け吊った商品収納袋の上部下面側が前方下がりの傾斜状に支持され、引き用つまみ片が商品収納袋の前方へ前方下がりに突出状とすることになり、引き用つまみ片を指先で摘みやすくなる。
【００２３】
請求項３の発明によると、受け板の上部に、各掛け吊り軸に対応する嵌合孔が設けられた蓋板を配置したので、蓋板で各掛け吊り軸に対する商品収納袋の掛け吊り部分を隠蔽することができ、装置全体の外観の向上が図れるだけでなく、吊り下げられた袋それぞれのサイズを示す大、中、小などの表示を施すことができるほか、各掛け吊り軸から商品収納袋が上方へ抜け落ちるのを防止することができる。
【００２４】
また、受け板が各掛け吊り軸に対して上下動が可能で、この受け板に弾性部材で上昇弾性を付勢したので、多数枚を重ねて各掛け吊り軸に掛け吊った商品収納袋が消費されて厚みが薄くなっても、商品収納袋が押し上げられることで、最上部商品収納袋の位置を一定に保つことができ、これにより、商品収納袋の枚数が減っても引き用つまみ片の高さ位置に変化がなく、指先での引き用つまみ片の摘み作業の行いやすさに影響がない。
【００２５】
請求項４の発明によると、袋取り付け機構が、両側の上記掛け吊り軸の外側に、商品収納袋の提げ手に設けた吊り下げ用の孔を挿通することにより、提げ手を保持する着脱自在の弾性保持環を備えているので、商品収納袋が大型の場合、商品収納袋の口部を開口させた口部への両側の提げ手の落ち込みをなくして口部を大きく開口させた状態を十分に生かすことができ、大型商品の商品収納袋への投入作業が円滑に行えることになる。
【００２６】
請求項５の発明によると、支柱の周囲に複数の袋取り付け具を装着したので、全体が嵩低い状態で多数枚の商品収納袋の配置が可能になり、しかも、サイズの異なる商品収納袋を選択して配置することができることになるほか、その都度必用なサイズの袋を取り付け機構を軽くまわして、すぐに手前に臨ませられて便利である。
【発明を実施するための最良の形態】
【００２７】
上部両側と舌片とに夫々吊り下げ用の孔を設けた商品収納袋を、前記各吊り下げ用の孔を利用して吊り下げ状に保持するための取り出し装置であり、前記商品収納袋の上部を支持する袋取り付け機構と、商品収納袋の底部を支持する底部支持部材とからなり、前記袋取り付け機構が、商品収納袋の上部下面側を支持するための受け板の上面で前縁寄りの両側の位置に、商品収納袋の上部両側に設けた吊り下げ用の孔を係止する一対の掛け吊り軸と、後部側中央の位置に、商品収納袋の舌片に設けた吊り下げ用の孔を係止する後部の掛け吊り軸を突設して形成され、前記一対の掛け吊り軸は間隔の調整が可能である。
【実施例】
【００２８】
先ず、この発明の商品収納袋の取り出し装置に取り付けて使用する商品収納袋Ａは、図７と図８に示すように、ポリエチレン等の薄い合成樹脂のチューブを素材に用い、所定の長さに切断したチューブを両側に内方への折り込み部１、１を設けた状態で偏平に畳み、表シート２と裏シート３の下端側を溶着して閉鎖された底部４とし、この表シート２と裏シート３の上端側に両側に折り込み部１、１の一部を残して略逆Ｍ字状の如き切り欠き５を設けて上端を口部６とし、両側に残した折り込み部１、１が上端部を溶着した提げ手部７、７となっている。
【００２９】
上記のような商品収納袋Ａは、表シート２と裏シート３の口部における下縁の中央が上方に突出する舌片８となり、表シート２と裏シート３の上部両側で折り込み部１、１の内縁よりも少し内側の位置と、舌片８の上端のそれぞれに吊り下げ用の孔９、９と１０が三角形の配置で設けられ、両側吊り下げ用の孔９、９と表シート２及び裏シート３の上端縁の間に切れ目線１１が施され、更に、舌片８の孔１０から下の位置に先端側を容易に除去できるようにする切れ目線１２が横方向の全長にわたって設けてある。
【００３０】
また、提げ手部７、７は、上記折り込み部１、１の一部を含むように切り欠き５を施すことにより、折り込み部１、１の折り返し部分が握り孔１３になっている。
【００３１】
更に、商品収納袋Ａが大型の場合、提げ手部７、７の上端には、商品収納袋Ａの口部６を開口させた場合に両側提げ手部７、７の袋内への落ち込みをなくして折角大きく開口している口部６を何ら支障なく活用できるようにするための保持用孔１４と、この保持用孔１４から提げ手部７、７の外縁に達する切れ目線１５とが設けられている。
【００３２】
この商品収納袋Ａは、収納容量の異なる大きさのもの、具体的には幅と上下長さの異なるものが複数用意され、従って、サイズの異なる商品収納袋Ａは、両側に設けた吊り下げ用の孔９、９の間隔が異なることになる。
【００３３】
上記商品収納袋Ａの前シート２と後シート３には、舌片８の直下で、両側の吊り下げ用の孔９、９を結ぶ線よりも少し下方の位置に、Ｕ字状の切れ目１６で囲んだ引き用つまみ片１７を設け、この引き用つまみ片１７を指先で摘んで手前に引くことで、舌片８の切れ目１２から先端側の切断除去が簡単に行えるようになっている。
【００３４】
また、引き用つまみ片１７には、指先での挟持による単シート確認部１８が設けられ、表シート２の引き用つまみ片１７だけを確実に摘んで手前側に引くことができるようにしている。
【００３５】
この単シート確認部１８は、図９に例示するように、カットエンドに防裂用の丸孔を施した、縦、横、斜め、Ｘ字、Ｕ字、Ｖ字等の各種スリットや溝のほか、孔、花模様やトランプ模様、会社のマーク当の各種図柄を採用することができ、引き用つまみ片１７を指先で挟持したときに、この単シート確認部１８によって、引き用つまみ片１７を挟んだ指先が密着接触している感触の場合は、一枚の引き用つまみ片を挟んでいることが確認でき、指先の密着接触する感触が得られない場合は、二枚又はそれ以上の引き用つまみ片１７を挟んでいることが確認でき、二枚又はそれ以上の引き用つまみ片１７を同時に引っ張ることがないようにするためのものである。
【００３６】
次に、商品収納袋の取り出し装置２１は、図１乃至図６のように、ベース台２２上に回転可能となるよう垂直に立設した支柱２３と、上記支柱２３の周囲に着脱可能となるよう吊り下げ状に取り付けた複数の袋取り付け機構２４と、各袋取り付け機構２４の下部に位置し、袋取り付け機構２４に吊り掛けた商品収納袋Ａの下端部を支持する水平の受け部材２５とで形成されている。
【００３７】
上記支柱２３は、ベース台２２上に垂直に立設した固定柱２６と、この固定柱２６に外嵌する金属パイプ製の回転柱２７とからなり、回転柱２７は、その下端が固定柱２６に取り付けたスラスト軸受２８で支持されることにより、回転可能の配置となる。
【００３８】
上記袋取り付け機構２４は、金属線材を用いた上下に長い一対の矩形状枠体２９、２９と、この矩形状枠体２９、２９の上部に設けた三本の掛け吊り軸３０、３０及び３１と、この掛け吊り軸３０、３０及び３１に掛け吊った商品収納袋Ａの上部を下面側から支持する受け板３２と、商品収納袋Ａの上部を覆う蓋板３３とからなっている。
【００３９】
一対の矩形状枠体２９、２９は、内側縦棧２９ａの部分においてＶ字状の上部結合杆３４と下部結合杆３５で平面的に両側へハ字状の配置となるよう結合し、両矩形状枠体２９、２９の内側縦棧２９ａの上端に設けたフック部３６を回転柱２７の上端に係止することにより、回転柱２７に取外し可能となるよう吊り下げ状に取付けられる。
【００４０】
両矩形状枠体２９、２９の外側縦棧２９ｂの上端部に、商品収納袋Ａの上部両側に設けた吊り下げ用の孔９、９の掛け吊り軸３０、３０が平面的に回転可能となるよう取付けられ、上部結合杆３４の上面に商品収納袋Ａの舌片８に設けた吊り下げ用の孔１０の後部掛け吊り軸３１が突設されている。
【００４１】
上記した両側の掛け吊り軸３０、３０は、水平軸３０ａの後端に固定した筒体３０ｂが矩形状枠体２９、２９の外側縦棧２９ｂに定位置で回転するように外嵌し、水平軸３０ａの先端に直立する垂直軸３０ｃを設けてＬ字状に形成され、平面的に回転させることで、両側掛け吊り軸３０、３０における垂直軸３０ｃの配置間隔が可変となり、この垂直軸３０ｃの下端部にスプリング受け３７が固定されている。
【００４２】
また、上記後部掛け吊り軸３１の途中にもスプリング受け３８が固定され、この後部掛け吊り軸３１のスプリング受け３８は、両側の掛け吊り軸３０のスプリング受け３７よりも位置的に少し高くなり、各スプリング受け３７と３８により受け板３２を少し前下がりの傾斜状に支持するようになっている。
【００４３】
上記受け板３２は、平面的に略三角形に形成され、直線状となる前縁の中央位置に指先が通過できる程度の幅を有する切り欠き３９が設けられ、この受け板３２の前縁に近い両側の位置に、両側の掛け吊り軸３０、３０の垂直軸３０ｃに嵌挿する孔４０、４０と、後部中央位置に後部掛け吊り軸３１に嵌挿する孔４１とが設けられ、前記孔４０、４０と４１は三角形の配置になっている。
【００４４】
この受け板３２は、両側の孔４０、４０を掛け吊り軸３０、３０の垂直軸３０ｃに嵌挿し、後端部の孔４１を後部掛け吊り軸３１に嵌め合わせて落とし込むと、下面がコイルスプリング等の弾性部材４２を介して各スプリング受け３７と３８によって支持され、前縁が下がる緩い傾斜状の配置となり、両側の掛け吊り軸３０、３０は所定の間隔に固定化される。
【００４５】
上記受け板３２における両側の孔４０、４０の配置間隔は、吊り下げんとする商品収納袋Ａの両側吊り下げ孔９、９の間隔に一致するように設け、両側の掛け吊り軸３０、３０の間隔を商品収納袋Ａの両側吊り下げ孔９、９の間隔に合わせるものであり、従って、両側の孔４０、４０の配置間隔が商品収納袋Ａの各サイズに対応する受け板３２を用意し、吊り下げんとする商品収納袋Ａに適応する受け板３２を選んで使用すればよく、両側の掛け吊り軸３０、３０は間隔の調整が自由であるので、受け板３２の変化に対応することができる。
【００４６】
上記受け板３２は、掛け吊り軸３０、３０と３１に嵌め合わせて落とし込むと、直線状となるその前縁が両側の掛け吊り軸３０、３０から少し前方に突出し、各掛け吊り軸３０、３０と３１に掛け吊った商品収納袋Ａは、図１０のように、受け板３２で上部下面側が前方下がりの傾斜状に支持され、受け板３２の前縁から突出する部分がこの前縁から垂下することになる。
【００４７】
ここで、商品収納袋Ａにおいて、商品収納袋Ａを各掛け吊り軸３０、３０と３１に掛け吊った状態で、引き用つまみ片１７を形成するＵ字状の切れ目１６は、その上端が受け板３２の前縁に臨むように位置が設定され、商品収納袋Ａの途中が受け板３２の前縁に沿って折れ曲がるが、図１０のように、引き用つまみ片１７は折れ曲がることなく商品収納袋Ａの前方へ突出することにより、この引き用つまみ片１７が指先で摘みやすくなる。
【００４８】
上記受け板３２は各掛け吊り軸３０、３０と３１に対して上下動が可能となり、その下面が各掛け吊り軸３０、３０と３１に外嵌した弾性部材４２で支持されて上昇弾性が付勢されており、多数枚を重ねて各掛け吊り軸３０、３０と３１に掛け吊った商品収納袋Ａが消費されて厚みが薄くなっても、商品収納袋Ａが押し上げられることで、最上部商品収納袋Ａの位置を一定の高さレベルに保つことができ、これにより、商品収納袋Ａの枚数が減っても引き用つまみ片１７の高さ位置に変化がなく、指先での引き用つまみ片１７の摘み作業が同じように行える。
【００４９】
上記蓋板３３は、受け板３２と略同様の大きさと平面形状を有する略三角形に形成され、直線状となる前縁の中央位置に受け板３２と同様の切り欠き４３と、受け板３２で位置が決定された各掛け吊り軸３０、３０と３１に対応する嵌合孔４４、４４と４５が設けられ、後端部が支柱２３の回転柱２７の上端開口部を覆う筒状キャップ４６に外接し、各掛け吊り軸３０、３０と３１に対して落とし込まれて受け板３２の上方に対面する配置となり、この蓋板３３で各掛け吊り軸３０、３０と３１に対する商品収納袋Ａの掛け吊り部分を隠蔽することができ、装置全体の外観の向上が図れるだけでなく、各掛け吊り軸３０、３０と３１から商品収納袋Ａが上方へ抜け落ちるのを防止できる。
【００５０】
上記各切り欠き３９と４３は、各掛け吊り軸３０、３０と３１に商品収納袋Ａを掛け吊ったとき、引き用つまみ片１７の後部で上下に位置することになり、この切り欠き３９と４３の存在により、掛け吊った商品収納袋Ａの引き用つまみ片１７の立ち上がりが何らかの理由で、不十分であったり、一部垂れ下がるものがあったら、後方から指先で引き用つまみ片１７を前方に向けて押し出すことが簡単に行えることになる。
【００５１】
ここで、受け板３２は両側掛け吊り軸３０、３０の配置間隔を規定することになるので、掛け吊りせんとする商品収納袋Ａのサイズの種類だけ用意しなければならないが、蓋板３３は、両側の孔４４、４４を両側掛け吊り軸３０、３０の回転軸心を中心とする円弧の長孔とすることにより、商品収納袋Ａのサイズの種類に一種類で対応できることになる。
【００５２】
上記袋底部の受け部材２５は、垂直板２５ａと水平板２５ｂでＬ字状に形成され、両矩形状枠体２９における外側縦桟２９ｂの前面下部の位置に受け部材２５の取り付けフック４７を設け、受け部材２５における垂直板の両側にフック４７への係合長孔４８を上下に複数設け、水平板が前方に突出するように、両矩形状枠体２９の下部に対して受け部材２５が着脱と上下の位置調整が可能となるよう取り付けられている。
【００５３】
上記受け部材２５は、図４に例示するように、水平板２５ｂの上下の一方に、補助水平板２５ｃを、長孔とこれを貫通する調整ビスとで前後に位置調整と着脱が可能となるよう取り付け、水平板２５ｂから補助水平板２５ｃを前方に突出させることにより大きな袋の下部を安定よく支持することができ、スペース的に狭い場合は、補助水平板２５ｃを後方に位置させて邪魔にならないようにすることができる構造を採用することができる。
【００５４】
図示の場合、上記袋取り付け機構２４は、商品収納袋Ａのサイズに合わせ、両側掛け吊り軸３０、３０の間隔と受け部材２５の上下高さ位置の異なるものを三種類用意し、これを支柱２３の外周に取り付けている。
【００５５】
この場合、蓋板３３は、各袋取り付け機構２４ごとに独立したものでも、図示のように、三種類の袋取り付け機構の２４の各蓋板を一体化した構造でもよい。
【００５６】
また、支柱２３の上端に被せたキャップ４６の上に指先を水で湿らせて、重なり合う引き用つまみ片１７の分離作業が容易に行えるようにするための、容器にスポンジ等を収納した貯水部材４９が取付けてあり、更に、会計のオペレータの身長に合わせて袋取り付け機構２４の高さを調整することができるよう、固定柱２６のスラスト軸受２８を上下の位置が調整可能となるようにし、この軸受２８をビス等で所要の高さ位置で固定することにより、回転柱２７の位置を上下に調整できるようにしている。
【００５７】
上記各袋取り付け機構２４において、大型の商品収納袋Ａを掛け吊りする袋取り付け機構２４には、両側掛け吊り軸３０、３０の外側位置に、提げ手部７を袋内に落ち込まないように保持するための弾性保持環５０、５０が着脱自在に配置されている。
【００５８】
この弾性保持環５０、５０は、弾性帯状体を用い、その一方端部に設けた筒状部を矩形状枠体２９、２９の外側縦棧２９ｂの上方部分に取付け、提げ手部７に設けた保持用孔１４に挿通した状態で他方の端部を筒状部に抜き差し可能となるよう抜け止め係止することにより環状になり、商品収納袋Ａを掛け吊った状態で提げ手部７、７を袋内に落ち込まないように保持することになる。
【００５９】
この発明の商品収納袋の取り出し装置２１は、上記のような構成であり、スーパマーケットやドラッグストアー等での、商品の会計カウンター部分でオペレータの作業範囲の最近傍に設置する。
【００６０】
取り出し装置２１は、ベース台２２上に起立する支柱２３の周囲に複数の袋取り付け機構２４を取り付け、各袋取り付け機構２４には該当する大きさの商品収納袋Ａを多数枚づつ吊り下げ状に取り付ける。
【００６１】
上記袋取り付け機構２４は、上端のフック３６を回転柱２７の上端に係止して吊り下げればよく、回転柱２７の周囲に並んで取り付けられ、また、袋取り付け機構２４に対して商品収納袋Ａは、上部両側の掛け吊り軸３０、３０に上部両側の吊り下げ孔９、９を嵌挿し、舌片５に設けた吊り下げ孔１０を中央後部の掛け吊り軸３１に嵌挿することにより、吊り下げ状に取り付け、商品収納袋Ａの下端は受け部材２５により支持する。
【００６２】
上記受け板３２は、各掛け吊り軸３０、３０と３１に外嵌する孔を各掛け吊り軸３０、３０と３１の配置に適合するよう設けた略三角形の板に形成され、この受け板３２の直線状となる前縁は、両側の掛け吊り軸３０、３０よりも少し前方に位置し、吊り下げ用の孔９、９と１０で掛け吊り軸３０、３０と３１に吊り掛けた商品収納袋Ａは、上部下面が受け板３２で支持され、該受け板３２の前縁から飛び出す部分は自重で垂下し、Ｕ字状の切れ目１６の上端が丁度受け板３２の前縁に臨むような関係になっている。
【００６３】
従って、掛け吊り軸３０、３０と３１に商品収納袋Ａを吊り掛けると、商品収納袋Ａは受け板３２の前縁に沿って折れ曲がることで、引き用つまみ片１７だけが下面を受け板３２で支持された上部の延長状となって商品収納袋Ａの前面側に略水平状に突出することになり、これによって、引き用つまみ片１７を簡単に指先で挟持することができることになる。
【００６４】
なお、図１１と１２のように、商品収納袋Ａが大型の場合、両側の提げ手部７、７は、上端に設けた孔１４を、両側に配置した弾性保持環５０、５０に挿通し、前方に向けて折り曲げた姿勢に保持しておく。
【００６５】
この状態で、会計のオペレータにより顧客の買い上げた商品を直接商品収納袋Ａに入れる方式を実行するには、先ず、会計のオペレータは、最も手前に位置する商品収納袋Ａの引き用つまみ片１７を指先で摘んで擦るようにすることで、二枚の引き用つまみ片１７を剥離させ、この後、図１２のように、表シート２の引き用つまみ片１７だけを指先で摘んで手前側に引くと、この引っ張り力で舌片８の途中に設けた切れ目線１２が破断し、舌片８は広幅部８ａと上端の狭幅部８ｂに分断され、狭幅部８ｂは後部の掛け吊り軸３１に残った状態となり、これによって、表シート２は後部の掛け吊り軸３１から遊離して手前側に移動する。
【００６６】
図１０と図１２のように、上記商品収納袋Ａの裏シート３には手前側への引っ張り力が加わらないので、この裏シート３に設けた舌片８の吊り下げ用の孔１０は、後部の掛け吊り軸３１に嵌挿した状態のまま残り、従って、裏シート３に対して表シート２の上部は手前側に大きく引き出される。
【００６７】
この表シート２の手前側への引き出し時に、表シート２の上部両側に設けた吊り下げ用の孔９、９は手前側に引かれ、掛け吊り軸３０、３０の先端立ち上がり部分で抵抗を受けるが、かまわず更に手前側へ引っ張る力を加えれば、この引っ張り力で切れ目線１１が破断し、吊り下げ用の孔９、９が掛け吊り軸３０、３０から離脱することで、表シート２の上部は掛け吊り軸３０、３０からも遊離し、これによって、表シート２の上部は手前側に大きく移動し、商品収納袋１の口部６は大きく開口することになる。
【００６８】
この時、表シート２の手前側への引き出しにより、両側の提げ手部７、７は手前側に広げられることになって握り孔１３が広がり、商品収納袋Ａを取り外す場合の、横方向からこの握り孔１３への指先の挿入が簡単に行えることになる。
【００６９】
このように、表シート２の引き用つまみ片１７を指先で摘んで手前に引くだけで、商品収納袋Ａは口部６が手前側に大きく開くことになり、口部６の開き作業が片手で行えることになる。
【００７０】
上記の引き用つまみ片１７を指先で摘む場合に、引き用つまみ片１７に、指先での挟持による単シート確認部１８を設けたので、商品収納袋Ａを吊り下げ配置した状態で、重なり合う引き用つまみ片１７を指先で挟んで揉むようにして両引き用つまみ片１７を分離し、この後、引き用つまみ片１７を指先で引っ張る動作の時に、単シート確認部１８によって、引き用つまみ片１７を挟んだ指先が互いに密着接触するか否かの感触による確認が行え、指先がよく接触している感触の場合は引き用つまみ片１７の上側の一枚のみを挟んでいることが確認でき、また、指先の密着接触する感触が得られない場合は二枚又はそれ以上の引き用つまみ片１７を挟んでいることが確認できるので、二枚の引き用つまみ片１７を同時に引っ張るようなことがなくなり、引き用つまみ片１７の上側の一枚だけを引っ張ることができ、商品収納袋１の口部６を片手で確実に手前へ開くことができる。
【００７１】
また、両側の提げ手部７、７を、両側に配置した弾性保持環５０、５０に挿通して前方に向けて折り曲げた姿勢に保持しておくと、商品収納袋Ａの口部６を開口させた場合に、両側提げ手部７、７が開いた口部６内へ落ち込むのを防ぎ、口部６を大きく開いた状態を維持することができるので、特に、大型の商品収納袋Ａの場合でも商品の投入作業が行い易くなる。
【００７２】
上記のように、商品収納袋Ａの口部６が開くと、会計のオペレータは、購入者がレジカウンターに持ち込んだ商品を計算したものから順に、直接この商品収納袋Ａ内に収納していけばよく、商品収納袋Ａの下端部は受け部材２５で支持されるので、収納した商品の重量は受部材２５で受けることになり、掛け吊り軸３０、３０と３１に掛け吊りされている裏シート３に大きな引き下げ荷重がかからないので、掛け吊り軸３０、３０と３１に対する裏シート３の掛け吊り状態が維持され、商品の収納によって商品収納袋Ａが掛け吊り軸３０、３０と３１から脱落して商品収納作業を妨げたりするようなことはない。
【００７３】
購入者が購入した商品の全てを会計のオペレータが商品収納袋Ａに収納して費用の清算が終了すると、両側提げ手部７、７の握り孔１３それぞれに手の指先を挿入して両側提げ手部７、７を握り、この両側提げ手部７、７を手前に引くようにすると、この引っ張り力で裏シート３の舌片８に設けた切れ目線１２が破断し、舌片８は広幅部８ａと上端の狭幅部８ｂに分断され、狭幅部８ｂは掛け吊り軸３１に残った状態となり、後部の掛け吊り軸３１から裏シート３が離脱する。
【００７４】
これと同時に、裏シート３の上部両側に設けた吊り下げ用の孔９、９は、掛け吊り軸３０、３０の先端立ち上がり部分に引っ掛かって停止し、掛け吊り軸３０、３０に対して手前側に引かれることになり、この引っ張り力で切れ目線１１が破断し、吊り下げ用の孔９、９が掛け吊り軸３０、３０から離脱することで、裏シート３の上部は掛け吊り軸３０、３０からも遊離し、更に、両側の提げ手部７、７は、弾性保持環５０、５０に対して孔１４が手前に引かれることで切れ目線１５が外縁に向けて破断し、これによって、両側の提げ手部７、７は弾性保持環５０、５０から離脱し、商品収納袋Ａを掛け吊り軸３０、３０と３１及び弾性保持環５０、５０から完全に取り外すことができることになる。
【００７５】
このようにして、掛け吊り軸３０、３０と３１から取り外した商品収納袋Ａは、上端の口部６を閉じて粘着テープ等で封をし、この商品収納袋Ａに入った商品を購入者に手渡すようにする。
【００７６】
上記のように、掛け吊り軸３０、３０と３１に吊り掛けた商品収納袋Ａの表シート２の引き用つまみ片１７を手前側に引くだけで、この商品収納袋Ａの口部６を大きく開口させることができ、しかも、片手操作で素早く開口させることができるので、片手で計算をしながらもう片方の手で商品収納袋Ａへ商品を投入することができ、これにより、会計のオペレータだけで顧客の買い上げた商品を直接商品収納袋Ａに入れる方式を実行することができ、また、分断された舌片８の狭幅部８ｂは、後部の掛け吊り軸３１に残ったままになるので、舌片８の狭幅部８ｂが散乱するようなことがなく、掃除の手間が省ける。
【００７７】
また、多数枚の商品収納袋Ａを掛け吊り軸３０、３０と３１に吊り掛けた状態で配置することができるので、商品収納袋Ａを平面的に配置した場合に比べて省スペース化が図れると共に、商品収納袋Ａを手前のものから一枚ずつ取り出せるので、残余の商品収納袋Ａが散乱するようなことがなく、商品収納袋Ａの管理が容易となる。
【図面の簡単な説明】
【００７８】
【図１】商品収納袋の取り出し装置の全体構造を示す正面図
【図２】商品収納袋の取り出し装置の全体構造を示す平面図
【図３】商品収納袋の取り出し装置の蓋板を取り除いた平面図
【図４】商品収納袋の取り出し装置の蓋板と受け板を取り除いた平面図
【図５】商品収納袋の取り出し装置の全体構造を示す分解斜視図
【図６】商品収納袋の取り出し装置の要部構造を拡大して示す分解斜視図
【図７】（Ａ）は商品収納袋の正面図、（Ｂ）は（Ａ）の矢印Ｂ−Ｂに沿った横断平面図
【図８】商品収納袋の上部の構造を示す斜視図
【図９】（Ａ）乃至（Ｃ）の各々はこの発明に係る商品収納袋の引き用つまみ片に設ける単シート確認部の異なった例を示す正面図
【図１０】商品収納袋の取り出し装置に商品収納袋を掛け吊った状態を示す縦断側面図
【図１１】商品収納袋の取り出し装置に商品収納袋を掛け吊った状態を示す斜視図
【図１２】商品収納袋の取り出し装置に商品収納袋を掛け吊って口部を開いた状態を示す斜視図
【符号の説明】
【００７９】
Ａ        商品収納袋
１        折り込み部
２        表シート
３        裏シート
４        底部
５        切り欠き
６        口部
７        提げ手部
８        舌片
８ａ      広幅部
８ｂ      狭幅部
９        吊り下げ用の孔
１０      吊り下げ用の孔
１１      切れ目線
１２      切れ目線
１３      握り孔
１４      保持用孔
１５      切れ目線
１６      切れ目
１７      引き用つまみ片
１８      単シート確認部
２１      商品収納袋の取り出し装置
２２      ベース台
２３      支柱
２４      袋取り付け機構
２５      受け部材
２６      固定柱
２７      回転柱
２８      スラスト軸受
２９      矩形状枠体
２９ａ    内側縦棧
２９ｂ    外側縦棧
３０      掛け吊り軸
３０ａ    水平軸
３０ｂ    筒体
３０ｃ    垂直軸
３１      掛け吊り軸
３２      受け板
３３      蓋板
３４      上部結合杆
３５      下部結合杆
３６      フック部
３７      スプリング受け
３８      スプリング受け
３９      切り欠き
４０      孔
４１      孔
４２      弾性部材
４３      切り欠き
４４      嵌合孔
４５      嵌合孔
４６      キャップ
４７      取り付けフック
４８      係合長孔
４９      貯水部材
５０      弾性保持環
【図１】
2005280771.tif 000003
【図２】
2005280771.tif 000004
【図３】
2005280771.tif 000005
【図４】
2005280771.tif 000006
【図５】
2005280771.tif 000007
【図６】
2005280771.tif 000008
【図７】
2005280771.tif 000009
【図８】
2005280771.tif 000010
【図９】
2005280771.tif 000011
【図１０】
2005280771.tif 000012
【図１１】
2005280771.tif 000013
【図１２】
2005280771.tif 000014